(57)【要約】【課題】再生用データの再生処理を行なう複数の再生装置による再生処理を制御装置が制御するデータ再生システム、データ再生方法、前記データ再生システムに利用できる制御装置、該制御装置をコンピュータによって実現するためのコンピュータプログラムを提供する。【解決手段】コントローラ１の制御部１０は、現在時刻に基づいて再生情報テーブル１５ａに登録してある再生開始時刻又は再生終了時刻を経過したか否かを判断する。再生開始時刻を経過した場合、制御部１０は対応するモニタ２に広告情報の再生処理の開始指示を送出し、モニタ２の制御部２０は、コントローラ１から受信した開始指示に従って対応する広告情報の再生処理を開始する。再生終了時刻を経過した場合、制御部１０は対応するモニタ２に広告情報の再生処理の終了指示を送出し、モニタ２の制御部２０はコントローラ１から受信した終了指示に従って実行中の再生処理を終了する。【選択図】図２
2008180810.tif 000002
【特許請求の範囲】
【請求項１】
記憶手段に記憶してある再生用データの再生処理を行なう複数の再生装置と、各再生装置が行なう再生処理を制御する制御装置とを備えるデータ再生システムにおいて、
前記制御装置は、
時計手段と、
前記再生装置毎に、各再生装置が再生する再生用データを特定する特定情報、該再生用データの再生処理を開始する再生開始時刻及び該再生処理を終了する再生終了時刻を含む再生情報を記憶する再生情報記憶手段と、
前記時計手段に基づいて前記再生情報記憶手段に記憶してある再生開始時刻又は再生終了時刻を経過したか否かを判断する手段と、
再生開始時刻又は再生終了時刻を経過したと判断した場合、該再生開始時刻又は再生終了時刻に対応して前記再生情報記憶手段に記憶してある特定情報により特定される再生用データの再生処理の開始指示又は終了指示を前記再生装置へ送出する手段とを有し、
前記再生装置は、
前記制御装置から送出された開始指示又は終了指示に従って、対応する再生用データの再生処理を開始又は終了する手段を有することを特徴とするデータ再生システム。
【請求項２】
前記制御装置は、
前記再生装置毎に、各再生装置を作動状態にする作動開始時刻及び各再生装置を非作動状態にする非作動開始時刻を記憶する時刻記憶手段と、
前記時計手段に基づいて前記時刻記憶手段に記憶してある作動開始時刻又は非作動開始時刻を経過したか否かを判断する手段と、
作動開始時刻又は非作動開始時刻を経過したと判断した場合、作動開始指示又は非作動開始指示を前記再生装置へ送出する手段とを有し、
前記再生装置は、
第１電力又は該第１電力よりも小さい第２電力を供給する電力供給部と、
前記制御装置から送出された作動開始指示又は非作動開始指示に従って、前記第１電力又は第２電力を供給するように前記電力供給部を制御する手段とを備えることを特徴とする請求項１に記載のデータ再生システム。
【請求項３】
前記再生情報を生成する再生情報生成手段と、
該再生情報生成手段が生成した再生情報を前記制御装置の再生情報記憶手段に記憶させる手段と
を備えることを特徴とする請求項１又は２に記載のデータ再生システム。
【請求項４】
前記再生装置の記憶手段に記憶してある再生用データを検索する検索手段を備え、
前記再生情報生成手段は、前記検索手段が検索した再生用データに基づいて前記再生情報を生成するように構成してあることを特徴とする請求項３に記載のデータ再生システム。
【請求項５】
前記検索手段によって検索されなかった再生用データを特定する特定情報を含む再生情報を前記再生情報生成手段が生成する場合、前記再生用データを前記再生装置の記憶手段に記憶させる手段を備えることを特徴とする請求項４に記載のデータ再生システム。
【請求項６】
前記再生用データを生成する再生用データ生成手段と、
該再生用データ生成手段が生成した再生用データを前記再生装置の記憶手段に記憶させる手段と
を備えることを特徴とする請求項１乃至５のいずれかひとつに記載のデータ再生システム。
【請求項７】
前記制御装置と通信が可能な通信装置を備え、
該通信装置は、
各再生装置毎に、各再生装置が再生する再生用データを特定する特定情報、該再生用データの再生処理を開始する再生開始時刻及び該再生処理を終了する再生終了時刻を含む再生情報を生成する再生情報生成手段と、
該再生情報生成手段が生成した再生情報を前記制御装置へ送出する手段とを有し、
前記制御装置は、前記通信装置から送出された再生情報を前記再生情報記憶手段に記憶させる手段を有することを特徴とする請求項１乃至６のいずれかひとつに記載のデータ再生システム。
【請求項８】
記憶手段に記憶してある再生用データの再生処理を行なう複数の再生装置による再生処理を制御装置が制御するデータ再生方法において、
前記制御装置が、各再生装置が再生用データの再生処理を開始する再生開始時刻又は該再生処理を終了する再生終了時刻を経過したか否かを判断するステップと、
再生開始時刻又は再生終了時刻を経過したと判断された場合、前記制御装置が、該再生開始時刻又は再生終了時刻に対応する再生用データの再生処理の開始指示又は終了指示を前記再生装置へ送出するステップと、
前記再生装置が、前記制御装置から送出された開始指示又は終了指示に従って、対応する再生用データの再生処理を開始又は終了するステップと
を含むことを特徴とするデータ再生方法。
【請求項９】
記憶手段に記憶してある再生用データの再生処理を行なう複数の再生装置による再生処理を制御する制御装置において、
時計手段と、
前記再生装置毎に、各再生装置が再生する再生用データを特定する特定情報、該再生用データの再生処理を開始する再生開始時刻及び該再生処理を終了する再生終了時刻を含む再生情報を記憶する再生情報記憶手段と、
前記時計手段に基づいて前記再生情報記憶手段に記憶してある再生開始時刻又は再生終了時刻を経過したか否かを判断する手段と、
再生開始時刻又は再生終了時刻を経過したと判断した場合、該再生開始時刻又は再生終了時刻に対応して前記再生情報記憶手段に記憶してある特定情報により特定される再生用データの再生処理の開始指示又は終了指示を前記再生装置へ送出する手段とを備えることを特徴とする制御装置。
【請求項１０】
前記再生装置毎に、各再生装置を作動状態にする作動開始時刻及び各再生装置を非作動状態にする非作動開始時刻を記憶する時刻記憶手段と、
前記時計手段に基づいて前記時刻記憶手段に記憶してある作動開始時刻又は非作動開始時刻を経過したか否かを判断する手段と、
作動開始時刻又は非作動開始時刻を経過したと判断した場合、作動開始指示又は非作動開始指示を前記再生装置へ送出する手段とを備えることを特徴とする請求項９に記載の制御装置。
【請求項１１】
記憶手段に記憶してある再生用データの再生処理を行なう複数の再生装置による再生処理をコンピュータに制御させるためのコンピュータプログラムにおいて、
コンピュータに、各再生装置が再生用データの再生処理を開始する再生開始時刻又は該再生処理を終了する再生終了時刻を経過したか否かを判断させる判断ステップと、
コンピュータに、再生開始時刻又は再生終了時刻を経過したと判断された場合、該再生開始時刻又は再生終了時刻に対応する再生用データの再生処理の開始指示又は終了指示を前記再生装置へ送出させるステップと
を含むことを特徴とするコンピュータプログラム。
【請求項１２】
コンピュータに、各再生装置を作動状態にする作動開始時刻又は各再生装置を非作動状態にする非作動開始時刻を経過したか否かを判断させるステップと、
コンピュータに、作動開始時刻又は非作動開始時刻を経過したと判断された場合、作動開始指示又は非作動開始指示を前記再生装置へ送出させるステップと
を含むことを特徴とする請求項１１に記載のコンピュータプログラム。
【請求項１３】
コンピュータに、各再生装置毎に、各再生装置が再生する再生用データを特定する特定情報、該再生用データの再生処理を開始する再生開始時刻及び該再生処理を終了する再生終了時刻を含む再生情報を生成させる生成ステップを含み、
前記判断ステップは、前記生成ステップで生成された再生情報に含まれる再生開始時刻又は再生終了時刻を経過したか否かを判断させることを特徴とする請求項１１又は１２に記載のコンピュータプログラム。
【請求項１４】
コンピュータに、前記再生装置の記憶手段に記憶してある再生用データを検索させる検索ステップを含み、
前記生成ステップは、前記検索ステップで検索された再生用データに基づいて前記再生情報を生成させることを特徴とする請求項１３に記載のコンピュータプログラム。
【請求項１５】
コンピュータに、前記検索ステップで検索されなかった再生用データを特定する特定情報を含む再生情報が前記生成ステップで生成された場合、前記再生用データを前記再生装置へ送出させるステップを含むことを特徴とする請求項１４に記載のコンピュータプログラム。
【請求項１６】
コンピュータに、前記再生用データを生成させるステップと、
コンピュータに、生成された再生用データを前記再生装置へ送出させるステップとを含むことを特徴とする請求項１５に記載のコンピュータプログラム。
【発明の詳細な説明】
【技術分野】
【０００１】
本発明は、再生用データの再生処理を行なう複数の再生装置による再生処理を制御装置によって制御するデータ再生システム、データ再生方法、前記データ再生システムに利用できる制御装置、該制御装置をコンピュータによって実現するためのコンピュータプログラムに関するものである。
【背景技術】
【０００２】
顧客の購買意欲を高めるために、店舗内に陳列された商品の近傍にビデオ及びテレビ、又はテレビデオ等を設置し、各商品を宣伝するためのプロモーションビデオを流して顧客に訴求することが一般的に行なわれている。
【０００３】
また、特許文献１には、電子ＰＯＰ（Point Of Purchase）サーバが、ネットワークを介して接続された電子ＰＯＰクライアントに広告情報を配信する電子ＰＯＰシステムが開示されている。特許文献１に開示された電子ＰＯＰシステムでは、電子ＰＯＰサーバが、広告情報と共に各広告情報の再生順序を電子ＰＯＰクライアントに配信し、電子ＰＯＰクライアントは、受信した再生順序に従って各広告情報を再生する。このような構成により、各電子ＰＯＰクライアントで再生される広告情報及び各広告情報の再生順序を電子ＰＯＰサーバを用いて設定することができる。
【特許文献１】特開２００４−１９１６６６号公報
【発明の開示】
【発明が解決しようとする課題】
【０００４】
上述したように、各商品の近傍に設置されたビデオ及びテレビ、又はテレビデオを用いて各商品のプロモーションビデオを流す場合、プロモーションビデオを再生させる装置毎にプロモーションビデオを用意する必要がある。また、プロモーションビデオにビデオテープを利用した場合、繰り返し再生することによってプロモーションビデオの画質が劣化する。
【０００５】
また、上述したようにビデオ及びテレビ、又はテレビデオを用いた場合においても、特許文献１に開示された電子ＰＯＰシステムを用いた場合においても、各装置においてプロモーションビデオの再生開始指示、停止指示、ビデオテープを利用する場合には巻き戻し指示等の操作を売り場の店員が行なう必要があり、店員による操作負担が大きいという問題があった。
【０００６】
更に、特許文献１に開示された電子ＰＯＰシステムでは、各電子ＰＯＰクライアントがそれぞれ、電子ＰＯＰサーバから配信された再生順序に従って各広告情報を再生するので、各電子ＰＯＰクライアントで再生される広告情報に関連性はなく、顧客の購買意欲が十分に高まるような訴求を行なうことは困難である。
【０００７】
本発明は斯かる事情に鑑みてなされたものでありその目的とするところは、複数の再生装置による再生処理を同期させて実行させることによりインパクトのある訴求が可能なデータ再生システム、データ再生方法、前記データ再生システムに利用できる制御装置及び該制御装置をコンピュータで実現可能なコンピュータプログラムを提供することにある。
【０００８】
本発明の他の目的は、各再生装置の動作開始及びスリープ状態の開始等の操作をユーザが行なう必要がないので、ユーザにおける操作負担を軽減することが可能なデータ再生システム、該データ再生システムに利用できる制御装置及び該制御装置をコンピュータで実現可能なコンピュータプログラムを提供することにある。
【０００９】
本発明の他の目的は、各再生装置で行なわれる再生処理の内容を任意に設定することが可能なデータ再生システム及びコンピュータプログラムを提供することにある。また、本発明の他の目的は、各再生装置で再生処理される再生用データを任意に生成することが可能なデータ再生システム及びコンピュータプログラムを提供することにある。
【課題を解決するための手段】
【００１０】
本発明に係るデータ再生システムは、記憶手段に記憶してある再生用データの再生処理を行なう複数の再生装置と、各再生装置が行なう再生処理を制御する制御装置とを備えるデータ再生システムにおいて、前記制御装置は、時計手段と、前記再生装置毎に、各再生装置が再生する再生用データを特定する特定情報、該再生用データの再生処理を開始する再生開始時刻及び該再生処理を終了する再生終了時刻を含む再生情報を記憶する再生情報記憶手段と、前記時計手段に基づいて前記再生情報記憶手段に記憶してある再生開始時刻又は再生終了時刻を経過したか否かを判断する手段と、再生開始時刻又は再生終了時刻を経過したと判断した場合、該再生開始時刻又は再生終了時刻に対応して前記再生情報記憶手段に記憶してある特定情報により特定される再生用データの再生処理の開始指示又は終了指示を前記再生装置へ送出する手段とを有し、前記再生装置は、前記制御装置から送出された開始指示又は終了指示に従って、対応する再生用データの再生処理を開始又は終了する手段を有することを特徴とする。
【００１１】
本発明に係るデータ再生システムは、前記制御装置は、前記再生装置毎に、各再生装置を作動状態にする作動開始時刻及び各再生装置を非作動状態にする非作動開始時刻を記憶する時刻記憶手段と、前記時計手段に基づいて前記時刻記憶手段に記憶してある作動開始時刻又は非作動開始時刻を経過したか否かを判断する手段と、作動開始時刻又は非作動開始時刻を経過したと判断した場合、作動開始指示又は非作動開始指示を前記再生装置へ送出する手段とを有し、前記再生装置は、第１電力又は該第１電力よりも小さい第２電力を供給する電力供給部と、前記制御装置から送出された作動開始指示又は非作動開始指示に従って、前記第１電力又は第２電力を供給するように前記電力供給部を制御する手段とを備えることを特徴とする。
【００１２】
本発明に係るデータ再生システムは、前記再生情報を生成する再生情報生成手段と、該再生情報生成手段が生成した再生情報を前記制御装置の再生情報記憶手段に記憶させる手段とを備えることを特徴とする。
【００１３】
本発明に係るデータ再生システムは、前記再生装置の記憶手段に記憶してある再生用データを検索する検索手段を備え、前記再生情報生成手段は、前記検索手段が検索した再生用データに基づいて前記再生情報を生成するように構成してあることを特徴とする。
【００１４】
本発明に係るデータ再生システムは、前記検索手段によって検索されなかった再生用データを特定する特定情報を含む再生情報を前記再生情報生成手段が生成する場合、前記再生用データを前記再生装置の記憶手段に記憶させる手段を備えることを特徴とする。
【００１５】
本発明に係るデータ再生システムは、前記再生用データを生成する再生用データ生成手段と、該再生用データ生成手段が生成した再生用データを前記再生装置の記憶手段に記憶させる手段とを備えることを特徴とする。
【００１６】
本発明に係るデータ再生システムは、前記制御装置と通信が可能な通信装置を備え、該通信装置は、各再生装置毎に、各再生装置が再生する再生用データを特定する特定情報、該再生用データの再生処理を開始する再生開始時刻及び該再生処理を終了する再生終了時刻を含む再生情報を生成する再生情報生成手段と、該再生情報生成手段が生成した再生情報を前記制御装置へ送出する手段とを有し、前記制御装置は、前記通信装置から送出された再生情報を前記再生情報記憶手段に記憶させる手段を有することを特徴とする。
【００１７】
本発明に係るデータ再生方法は、記憶手段に記憶してある再生用データの再生処理を行なう複数の再生装置による再生処理を制御装置が制御するデータ再生方法において、前記制御装置が、各再生装置が再生用データの再生処理を開始する再生開始時刻又は該再生処理を終了する再生終了時刻を経過したか否かを判断するステップと、再生開始時刻又は再生終了時刻を経過したと判断された場合、前記制御装置が、該再生開始時刻又は再生終了時刻に対応する再生用データの再生処理の開始指示又は終了指示を前記再生装置へ送出するステップと、前記再生装置が、前記制御装置から送出された開始指示又は終了指示に従って、対応する再生用データの再生処理を開始又は終了するステップとを含むことを特徴とする。
【００１８】
本発明に係る制御装置は、記憶手段に記憶してある再生用データの再生処理を行なう複数の再生装置による再生処理を制御する制御装置において、時計手段と、前記再生装置毎に、各再生装置が再生する再生用データを特定する特定情報、該再生用データの再生処理を開始する再生開始時刻及び該再生処理を終了する再生終了時刻を含む再生情報を記憶する再生情報記憶手段と、前記時計手段に基づいて前記再生情報記憶手段に記憶してある再生開始時刻又は再生終了時刻を経過したか否かを判断する手段と、再生開始時刻又は再生終了時刻を経過したと判断した場合、該再生開始時刻又は再生終了時刻に対応して前記再生情報記憶手段に記憶してある特定情報により特定される再生用データの再生処理の開始指示又は終了指示を前記再生装置へ送出する手段とを備えることを特徴とする。
【００１９】
本発明に係る制御装置は、前記再生装置毎に、各再生装置を作動状態にする作動開始時刻及び各再生装置を非作動状態にする非作動開始時刻を記憶する時刻記憶手段と、前記時計手段に基づいて前記時刻記憶手段に記憶してある作動開始時刻又は非作動開始時刻を経過したか否かを判断する手段と、作動開始時刻又は非作動開始時刻を経過したと判断した場合、作動開始指示又は非作動開始指示を前記再生装置へ送出する手段とを備えることを特徴とする。
【００２０】
本発明に係るコンピュータプログラムは、記憶手段に記憶してある再生用データの再生処理を行なう複数の再生装置による再生処理をコンピュータに制御させるためのコンピュータプログラムにおいて、コンピュータに、各再生装置が再生用データの再生処理を開始する再生開始時刻又は該再生処理を終了する再生終了時刻を経過したか否かを判断させる判断ステップと、コンピュータに、再生開始時刻又は再生終了時刻を経過したと判断された場合、該再生開始時刻又は再生終了時刻に対応する再生用データの再生処理の開始指示又は終了指示を前記再生装置へ送出させるステップとを含むことを特徴とする。
【００２１】
本発明に係るコンピュータプログラムは、コンピュータに、各再生装置を作動状態にする作動開始時刻又は各再生装置を非作動状態にする非作動開始時刻を経過したか否かを判断させるステップと、コンピュータに、作動開始時刻又は非作動開始時刻を経過したと判断された場合、作動開始指示又は非作動開始指示を前記再生装置へ送出させるステップとを含むことを特徴とする。
【００２２】
本発明に係るコンピュータプログラムは、コンピュータに、各再生装置毎に、各再生装置が再生する再生用データを特定する特定情報、該再生用データの再生処理を開始する再生開始時刻及び該再生処理を終了する再生終了時刻を含む再生情報を生成させる生成ステップを含み、前記判断ステップは、前記生成ステップで生成された再生情報に含まれる再生開始時刻又は再生終了時刻を経過したか否かを判断させることを特徴とする。
【００２３】
本発明に係るコンピュータプログラムは、コンピュータに、前記再生装置の記憶手段に記憶してある再生用データを検索させる検索ステップを含み、前記生成ステップは、前記検索ステップで検索された再生用データに基づいて前記再生情報を生成させることを特徴とする。
【００２４】
本発明に係るコンピュータプログラムは、コンピュータに、前記検索ステップで検索されなかった再生用データを特定する特定情報を含む再生情報が前記生成ステップで生成された場合、前記再生用データを前記再生装置へ送出させるステップを含むことを特徴とする。
【００２５】
本発明に係るコンピュータプログラムは、コンピュータに、前記再生用データを生成させるステップと、コンピュータに、生成された再生用データを前記再生装置へ送出させるステップとを含むことを特徴とする。
【００２６】
本発明によれば、再生装置は再生用データを記憶手段に記憶しており、制御装置は再生装置毎に、各再生装置が再生する再生用データを特定する特定情報、該再生用データの再生処理を開始する再生開始時刻及び再生処理を終了する再生終了時刻を含む再生情報を再生情報記憶手段に記憶している。制御装置は、時計手段に基づいて、再生情報記憶手段に記憶してあるいずれかの再生開始時刻又は再生終了時刻を経過したか否かを判断し、いずれかの再生開始時刻又は再生終了時刻を経過した場合、この再生開始時刻又は再生終了時刻に対応する再生用データの再生処理の開始指示又は終了指示を再生装置へ送出する。そして、再生装置は、制御装置から送出された開始指示又は終了指示に従って、対応する再生用データの再生処理を開始又は終了する。
【００２７】
よって、各再生装置が行なう再生処理の開始及び終了を制御装置によって制御することが可能となるので、複数の再生装置による再生処理を同期させて実行させることが可能となる。例えば、複数の再生装置を同期させて同じ広告情報（再生用データ）の再生処理を同時に開始させた場合にはインパクトのある訴求が可能となる。また、１つの商品に関する一連の広告情報を複数の再生装置で再生させた場合には商品のＰＲ（public relations）ポイントを十分に宣伝することが可能となる。更に、近傍の再生装置で再生される広告情報を考慮した広告情報の再生処理が可能となるので、各商品について個別に訴求することが可能となると共に、各再生装置で再生される広告情報による各商品の宣伝効果をより向上させることが可能となる。
【００２８】
また、各再生装置が行なう再生処理の開始及び終了を制御装置が制御するので、各再生装置において再生処理の開始指示、停止指示等の操作を売り場の店員が行なう必要がなく、再生装置を管理する店員の操作負担を軽減することが可能となる。また、各再生装置が行なう再生処理の内容を制御装置を用いて変更することが可能であると共に、制御装置の再生情報記憶手段に再生情報を登録することのみによって各再生装置が行なう再生処理の内容を設定することが可能となる。従って、設定された再生情報を逐次再生装置に配信する必要がないので、再生情報の設定処理における処理負担を軽減すると共に、制御装置と再生装置との間で行なわれる通信処理における負荷を増大させない。
【００２９】
本発明によれば、制御装置は再生装置毎に、各再生装置を作動状態にする作動開始時刻及び各再生装置を非作動状態にする非作動開始時刻を時刻記憶手段に記憶している。制御装置は、時計手段に基づいて、時刻記憶手段に記憶してあるいずれかの作動開始時刻又は非作動開始時刻を経過したか否かを判断し、いずれかの作動開始時刻又は非作動開始時刻を経過した場合、作動開始指示又は非作動開始指示を再生装置へ送出する。そして、再生装置は、制御装置から送出された作動開始指示に従って第１電力を供給し、制御装置から送出された非作動開始指示に従って第１電力よりも小さい第２電力を供給する。
【００３０】
よって、各再生装置における作動状態及び非作動状態の切り替えを制御装置が制御するので、各再生装置において動作開始及びスリープ状態の開始等の操作を売り場の店員が行なう必要がなく、再生装置を管理する店員の操作負担をより軽減することが可能となる。
【００３１】
本発明によれば、各再生装置で行なわれる再生処理の内容を示す再生情報を生成し、生成した再生情報を制御装置の再生情報記憶手段に記憶させる。よって、各再生装置で行なわれる再生処理の内容を任意に設定することが可能となる。また、各再生装置で行なわれる再生処理を制御する制御装置が複数ある場合に、各制御装置において再生情報を生成する必要がなく、外部の装置で生成した再生情報を各制御装置の再生情報記憶手段にダウンロードすればよいので、再生情報を生成するユーザの処理負担が軽減される。
【００３２】
本発明によれば、各再生装置に記憶してある再生用データを検索し、検索した再生用データに基づいて再生情報を生成し、生成した再生情報を制御装置の再生情報記憶手段に記憶させる。よって、各再生装置に既に用意してある再生用データを把握することが可能であると共に、各再生装置に既に用意してある再生用データを用いた再生処理を任意に設定することが可能となる。
【００３３】
本発明によれば、各再生装置に用意されていない再生用データの再生処理に関する再生情報が生成された場合、生成された再生情報を制御装置の再生情報記憶手段に記憶させると共に、前記再生用データを再生装置の記憶手段に記憶させる。よって、各再生装置に用意されていない再生用データの再生処理が設定された場合には、この再生用データを予め再生装置に記憶させておくことが可能となる。
【００３４】
本発明によれば、各再生装置によって再生処理される再生用データを生成し、生成した再生用データを再生装置の記憶手段に記憶させる。よって、各再生装置で再生処理される再生用データを任意に生成することが可能となる。これにより、各再生装置で再生処理される再生用データを各再生装置又は制御装置において生成する必要がなく、外部の装置で生成した再生用データを各再生装置の記憶手段にダウンロードすればよいので、再生用データを生成するユーザの処理負担が軽減される。また、再生用データは再生装置の記憶手段に記憶されているので、再生装置毎にプロモーションビデオを用意する必要がないと共に、ビデオテープを利用した場合のように画質が劣化することがない。
【００３５】
本発明によれば、制御装置と通信が可能な通信装置を備え、各再生装置で行なわれる再生処理の内容を示す再生情報を通信装置で生成し、生成した再生情報を制御装置の再生情報記憶手段にダウンロードする。よって、各制御装置において再生情報を生成する必要がなく、通信装置で生成した再生情報を各制御装置にダウンロードすればよいので、再生情報を生成するユーザの処理負担が軽減される。
【００３６】
本発明によれば、本発明のコンピュータプログラムをコンピュータに読み取らせて実行させることによって、上述したような制御装置をコンピュータによって実現することが可能となる。
【発明の効果】
【００３７】
本発明では、各再生装置が行なう再生処理の開始及び終了を制御装置によって制御するので、複数の再生装置による再生処理を同期させて実行させることができる。従って、複数の再生装置を同期させて商品の広告情報を再生させた場合にはインパクトのある訴求が可能となると共に、各商品の宣伝効果をより向上させる訴求が可能となる。また、各再生装置において再生処理の開始指示、停止指示等の操作を売り場の店員が行なう必要がないので、店員の操作負担を軽減することができる。また、設定された各再生装置が行なう再生処理の内容を逐次再生装置に配信する必要がないので、再生情報の設定処理における処理負担を軽減すると共に、制御装置と再生装置との間で行なわれる通信処理における負荷を増大させない。
【００３８】
本発明では、各再生装置における作動状態及び非作動状態の切り替えを制御装置によって制御するので、各再生装置の動作開始及びスリープ状態の開始等の操作を売り場の店員が行なう必要がない。従って、多数の再生装置が設置されている大型の店舗においては、各再生装置を操作する必要がないので特に効果的である。
【００３９】
本発明では、各再生装置で行なわれる再生処理の内容を任意に設定することができる。また、制御装置が複数ある場合に、各制御装置が制御する再生装置で行なわれる再生処理に関する再生情報を一括して生成し、各制御装置にダウンロードすればよいので、再生情報を生成するユーザの処理負担が軽減される。
【００４０】
本発明では、各再生装置に既に用意してある再生用データを考慮して各再生装置で行なわれる再生処理の内容を任意に設定することができる。また、各再生装置に用意されていない再生用データの再生処理が設定された場合には、この再生用データを予め再生装置に記憶させておくことができるので、任意に設定された再生情報を確実に実行することができる。
【００４１】
本発明では、各再生装置で再生処理される再生用データを任意に生成することができる。また、各再生装置で再生処理される再生用データを一括して生成し、各再生装置にダウンロードすればよいので、再生用データを生成するユーザの処理負担が軽減される。
【００４２】
本発明では、各再生装置で行なわれる再生処理の内容を示す再生情報を外部の通信装置で一括して生成し、各制御装置にダウンロードするので、再生情報を生成するユーザの処理負担が軽減される。
【発明を実施するための最良の形態】
【００４３】
以下に、本発明に係るデータ再生システムをその実施形態である電子ＰＯＰシステムを示す図面に基づいて詳述する。
【００４４】
（実施形態１）
図１は実施形態１に係る電子ＰＯＰシステムの構成例を示す模式図である。本実施形態１の電子ＰＯＰシステム１００は、再生用データとして広告情報の再生処理を行なう再生装置としての複数のモニタ２，２…と、各モニタ２，２…が行なう広告情報の再生処理を制御する制御装置としてのコントローラ１とを通信可能に接続することにより構成されている。
【００４５】
本実施形態１では、コントローラ１とモニタ２，２…とは無線通信が可能に構成されており、例えばIEEE802.11規格に準拠したＷＬＡＮ（Wireless LAN）を介した無線通信が可能である。具体的には、モニタ２，２…は、コントローラ１にハブ４を介して接続された複数のアクセスポイント（以下、ＡＰという）３，３…との間で無線通信を行なう。なお、ＡＰ３，３…は、自身を中心とした所定範囲内に存在するモニタ２，２…との間での無線通信が可能である。
【００４６】
なお、コントローラ１とモニタ２，２…とは無線通信に限られず、例えば、ＬＡＮ（Local Area Network）、ＰＬＣ（Power Line Communications）等の通信線を介して接続した構成でもよい。但し、コントローラ１とモニタ２，２…とを無線通信が可能に接続した場合には、商品の売り場にモニタ２，２…のみを配置すればよいので、配置に要する面積が少なく、売り場の見た目もよい。また、配線がないので商品の売り場を整頓できると共に、通信線を介して接続する場合のようには、モニタ２，２…に表示された広告情報を視聴する顧客に煩わしさを与えない。
【００４７】
本実施形態１の電子ＰＯＰシステム１００では、例えば、コントローラ１を各店舗に１台ずつ設置し、各モニタ２，２…を商品の陳列棚の適宜箇所に設置する。また、モニタ２，２…の設置箇所に応じて各ＡＰ３，３…をそれぞれ適宜箇所に設置する。
【００４８】
図２は実施形態１に係る電子ＰＯＰシステム１００の構成例を示すブロック図である。本実施形態１の電子ＰＯＰシステム１００において、モニタ２は、制御部２０、ＲＯＭ２１、ＲＡＭ２２、記憶部２３、表示部２４、スピーカ２５、操作部２６、無線通信部２７等を備え、これらのハードウェア各部はそれぞれバス２ａを介して相互に接続されている。
【００４９】
制御部２０は、ＣＰＵ（Central Processing Unit ）又はＭＰＵ（Micro Processor Unit）等により構成されており、バス２ａを介して接続される上述したようなハードウェア各部を制御すると共に、ＲＯＭ２１に予め格納されている制御プログラムに従って種々の動作を実行する。ＲＯＭ２１は、モニタ２を本発明のデータ再生システムに利用できる再生装置として動作させるために必要な種々の制御プログラム等を予め記憶している。ＲＡＭ２２は、ＳＲＡＭ又はＳＤＲＡＭ等で構成され、制御部２０による制御プログラムの実行時に発生するデータを一時的に記憶する。
【００５０】
記憶部（記憶手段）２３は、ＨＤＤ、光ディスク又はメモリカード等により構成されており、コントローラ１からダウンロードされた広告情報（再生用データ）をファイル単位で記憶する。広告情報とは、例えば、静止画及び動画等の画像データと音声データとを含み、表示部２４又はスピーカ２５によって再生処理が可能な形式であれば、データ形式又はファイル形式は制限されない。また、広告情報としては例えば、販売される商品及び製品等に関する情報、店舗及び売り場で行われるイベント、タイムセール等を通知するための情報等があり、このような広告情報をモニタ２によって再生することによって顧客の購買意欲を高めるように訴求することができる。なお、広告情報は、必ずしも音声データを含んでいる必要はない。
【００５１】
表示部２４は、例えば液晶表示パネルからなる表示デバイスであり、制御部２０からの指示に従って、記憶部２３に記憶してある広告情報に含まれる画像データを表示する。また、表示部２４は、広告情報に含まれる画像データのほかに、モニタ２の動作状態、ユーザに対して通知すべき情報等の表示も行なう。なお、表示部２４の一部又は全部をタッチパネル方式のものとすることにより、後述の操作部２６の各種のキーのうちの一部又は全部を代用することも可能である。
【００５２】
スピーカ２５は、制御部２０からの指示に従って、記憶部２３に記憶してある広告情報に含まれる音声データを音声出力する。また、スピーカ２５は、広告情報に含まれる音声データのほかに、ユーザに対して通知すべき各種情報の音声出力も行なう。
【００５３】
操作部２６は、モニタ２をユーザが操作するために必要な各種のキーを備えており、ユーザにより各キーが操作された場合、操作されたキーに対応した制御信号を制御部２０へ送出する。これにより、制御部２０は操作部２６から取得した制御信号に従って各種処理を実行する。
【００５４】
無線通信部２７は、無線通信のために電波の送受信を行なうアンテナ２７ａに接続されており、制御部２０からの指示に従ってアンテナ２７ａを介して、最寄りのＡＰ３との接続を確立する。なお、本実施形態１では、モニタ２は、ハブ４及びＡＰ３を介してコントローラ１から、広告情報の再生処理の開始指示及び終了指示を受信するように構成されている。モニタ２は、広告情報の再生処理の開始指示を受信した場合、記憶部２３に記憶してある広告情報を読み出し、表示部２４及びスピーカ２５によって再生させ、終了指示を受信した場合、実行中の再生処理を終了する。
【００５５】
ＡＰ３は、制御部３０、ＲＯＭ３１、ＲＡＭ３２、ハブ４に接続するための接続部３３、操作部３４、無線通信部３５等を備え、これらのハードウェア各部はそれぞれバス３ａを介して相互に接続されている。
制御部３０は、ＣＰＵ又はＭＰＵ等により構成されており、バス３ａを介して接続される上述したようなハードウェア各部を制御すると共に、ＲＯＭ３１に予め格納されている制御プログラムに従って種々の動作を実行する。ＲＯＭ３１は、ＡＰ３を動作させるために必要な種々の制御プログラム等を予め記憶している。ＲＡＭ３２は、ＳＲＡＭ又はＳＤＲＡＭ等で構成され、制御部３０による制御プログラムの実行時に発生するデータを一時的に記憶する。
【００５６】
操作部３４は、ＡＰ３をユーザが操作するために必要な各種のキーを備えており、ユーザにより各キーが操作された場合、操作されたキーに対応した制御信号を制御部３０へ送出する。これにより、制御部３０は操作部３４から取得した制御信号に従って各種処理を実行する。
【００５７】
無線通信部３５は、無線通信のために電波の送受信を行なうアンテナ３５ａに接続されており、アンテナ３５ａを介してモニタ２，２…との間で無線通信を行なう。無線通信部３５は、制御部３０からの指示に従ってアンテナ３５ａを介して、ＡＰ３を中心とした所定範囲内に存在するモニタ２，２…との接続を確立する。なお、本実施形態１では、ＡＰ３は、ハブ４を介してコントローラ１から、モニタ２による広告情報の再生処理の開始指示及び終了指示を受信し、受信した開始指示及び終了指示をモニタ２へ送信する。
【００５８】
コントローラ１は、例えばパーソナルコンピュータであり、制御部１０、ＲＯＭ１１、ＲＡＭ１２、時計部１３、操作部１４、ＨＤＤ１５、ハブ４に接続するための接続部１６等を備え、これらのハードウェア各部はそれぞれバス１ａを介して相互に接続されている。
制御部１０は、ＣＰＵ又はＭＰＵ等により構成されており、バス１ａを介して接続される上述したようなハードウェア各部を制御すると共に、ＲＯＭ１１に予め格納されている制御プログラムに従って種々の動作を実行する。ＲＯＭ１１は、コントローラ１を本発明の電子ＰＯＰシステム１００に利用できる制御装置として動作させるために必要な種々の制御プログラム等を予め記憶している。ＲＡＭ１２は、ＳＲＡＭ又はＳＤＲＡＭ等で構成され、制御部１０による制御プログラムの実行時に発生するデータを一時的に記憶する。
【００５９】
時計部（時計手段）１３は絶対時間（年、月、日、時、分、秒）を刻時しており、制御部１０は時計部１３が示す絶対時間に基づいて現在時刻を取得する。
操作部１４は、コントローラ１をユーザが操作するために必要な各種のキーを備えており、ユーザにより各キーが操作された場合、操作されたキーに対応した制御信号を制御部１０へ送出する。これにより、制御部１０は操作部１４から取得した制御信号に従って各種処理を実行する。
【００６０】
ＨＤＤ（再生情報記憶手段）１５は大容量の記憶装置であり、ＨＤＤ１５にはコントローラ１の動作に必要な種々の制御プログラム、図３に示すような再生情報テーブル１５ａ等が記憶されている。図３は再生情報テーブル１５ａの登録内容を示す模式図である。図３に示す再生情報テーブル１５ａには、コントローラ１によって再生処理が制御される各モニタ２，２…を識別するためのモニタ情報毎に、各モニタ２，２…が行なう再生処理に関する再生情報が予め登録されている。再生情報には、各広告情報を特定するためのファイル名（特定情報）と、この広告情報の再生処理を開始する再生開始時刻及び再生処理を終了する再生終了時刻とがそれぞれ対応付けて登録してある。
【００６１】
なお、再生される広告情報を特定するための特定情報としては、各モニタ２，２…の記憶部２３に記憶してある広告情報を識別できる情報であればファイル名に限られない。
再生情報テーブル１５ａは、モニタ２，２…によって再生される広告情報の管理を行なうユーザが操作部１４を介して、モニタ２，２…が行なう再生処理の内容を入力する都度、制御部１０によって更新される。
【００６２】
上述した構成により、本実施形態１の電子ＰＯＰシステム１００では、コントローラ１の制御部１０が、時計部１３から取得した現在時刻に基づいて、ＨＤＤ１５に記憶してある再生情報テーブル１５ａに登録してあるいずれかの再生開始時刻を経過したか否かを判断する。いずれかの再生開始時刻を経過した場合、制御部１０は、この再生開始時刻に対応して再生情報テーブル１５ａに登録してあるモニタ情報及びファイル名をＲＡＭ１２に読み出し、読み出したモニタ情報が示すモニタ２に、読み出したファイル名の広告情報の再生処理の開始指示を接続部１６から送出する。
【００６３】
また、コントローラ１の制御部１０は、時計部１３から取得した現在時刻に基づいて、ＨＤＤ１５に記憶してある再生情報テーブル１５ａに登録してあるいずれかの再生終了時刻を経過したか否かを判断する。いずれかの再生終了時刻を経過した場合、制御部１０は、この再生終了時刻に対応して再生情報テーブル１５ａに登録してあるモニタ情報をＲＡＭ１２に読み出し、読み出したモニタ情報が示すモニタ２に、実行中の広告情報の再生処理の終了指示を接続部１６から送出する。
【００６４】
ハブ４は、例えばＵＳＢ（Universal Serial Bus）ハブであり、コントローラ１から送出された広告情報の再生処理の開始指示又は再生処理の終了指示をそのままＡＰ３へ送出する。ＡＰ３は、接続部３３を介してハブ４から取得した開始指示又は終了指示を、無線通信部３５から無線通信によって対応するモニタ２へ送出する。
【００６５】
モニタ２は、起動して通常動作を行なっている場合、記憶部２３に記憶してある所定の広告情報の再生処理を行なっている。モニタ２が所定の広告情報の再生処理を実行しているときに、ＡＰ３から送出された開始指示を無線通信部２７によって受信した場合、制御部２０は実行中の再生処理を終了させる。そして、制御部２０は、受信した開始指示に従って、対応する広告情報を記憶部２３からＲＡＭ２２に読み出し、読み出した広告情報の再生処理を開始する。具体的には、制御部２０は、ＲＡＭ２２に読み出した広告情報に含まれる画像データを表示部２４に表示させ、ＲＡＭ２２に読み出した広告情報に含まれる音声データをスピーカ２５によって音声出力する。
【００６６】
また、モニタ２は、上述したように無線通信部２７によって受信した開始指示に従って広告情報の再生処理を行なっているときに、ＡＰ３から送出された終了指示を無線通信部２７によって受信した場合、制御部２０が、受信した終了指示に従って、実行中の再生処理を終了させる。具体的には、制御部２０は、表示部２４による画像データの表示処理及びスピーカ２５による音声データの音声出力処理を終了させる。
【００６７】
これにより、各モニタ２，２…が行なう広告情報の再生処理の開始及び終了をコントローラ１によって制御するので、各モニタ２，２…において、広告情報の再生処理の開始指示、停止指示等の操作をユーザが行なう必要がない。また、各モニタ２，２…が行なう再生処理に関する再生情報をコントローラ１が再生情報テーブル１５ａによって一括に管理できる。更に、コントローラ１のＨＤＤ１５に記憶してある再生情報テーブル１５ａに再生情報を登録することのみによって、各モニタ２，２…が行なう広告情報の再生処理の内容を設定することができる。従って、モニタ２，２…毎に再生処理の設定を行なう必要がなく、ユーザによる設定処理の負担を軽減することができる。多数のモニタ２，２…が設置される大型の店舗では特に効果的である。
【００６８】
本実施形態１の電子ＰＯＰシステム１００を用いて、例えば、店舗内の全てのモニタ２，２…を同期させて同じ広告情報を再生（表示及び音声出力）させた場合にはインパクトのある訴求が可能となる。具体的には、１２時から開催されるタイムセールに合わせて店舗内の全てのモニタ２，２…に同時にタイムセールの案内を再生させた場合、顧客の購買意欲を高めることが可能となる。また、例えば、１つの売り場に複数のモニタ２，２…を配置し、この売り場の商品に関する情報を複数のモニタ２，２…に一覧表示させた場合には商品のＰＲポイントを一覧表示することによってより効果的な訴求が可能となる。
【００６９】
更に、例えば、各売り場又は各商品陳列棚のそれぞれにモニタ２，２…を配置し、各商品の案内を個別に再生させた場合には各商品について個別に訴求することができる。また、近傍に配置されたモニタ２，２…で再生される広告情報の内容を考慮して各モニタ２，２…で再生される広告情報を決定した場合には、各商品の宣伝効果をより向上させるような広告情報を各モニタ２，２…で再生させることができる。従って、各モニタ２，２…で再生された広告情報が近傍のモニタ２，２…で再生された広告情報による宣伝効果を下げないようにすることができると共に、重点的に宣伝すべき商品の宣伝効果を他のモニタ２，２…で再生された広告情報によって下げないようにすることができる。更に、店舗全体としての統一感を持たせた広告情報をそれぞれのモニタ２，２…で再生させることもできる。
【００７０】
以下に、上述した構成の電子ＰＯＰシステム１００において、モニタ２，２…が行なう広告情報の再生処理を制御するコントローラ１による処理についてフローチャートに基づいて説明する。図４はコントローラ１による制御処理の手順を示すフローチャートである。なお、以下の処理は、コントローラ１のＲＯＭ１１又はＨＤＤ１５に記憶してある制御プログラムに従って制御部１０によって実行される。
【００７１】
コントローラ１が通常動作を行なっている場合、制御部１０は、所定のタイミングで時計部１３から取得する現在時刻に基づいて、ＨＤＤ１５に記憶してある再生情報テーブル１５ａに登録してあるいずれかの再生開始時刻が経過したか否かを判断する（Ｓ１）。いずれの再生開始時刻も経過していない場合（Ｓ１：ＮＯ）、制御部１０は、ステップＳ４へ処理を移行する。
【００７２】
いずれかの再生開始時刻が経過した場合（Ｓ１：ＹＥＳ）、制御部１０は、経過した再生開始時刻に対応するモニタ情報及びファイル名を再生情報テーブル１５ａから読み出し（Ｓ２）、ＲＡＭ１２に一旦記憶させる。制御部１０は、ＲＡＭ１２に記憶させたモニタ情報が示すモニタ２宛てに、ＲＡＭ１２に記憶させたファイル名の広告情報の再生処理の開始指示を送出する（Ｓ３）。
【００７３】
制御部１０は、所定のタイミングで時計部１３から取得する現在時刻に基づいて、ＨＤＤ１５に記憶してある再生情報テーブル１５ａに登録してあるいずれかの再生終了時刻が経過したか否かを判断し（Ｓ４）、いずれの再生終了時刻も経過していない場合（Ｓ４：ＮＯ）、ステップＳ７へ処理を移行する。いずれかの再生終了時刻が経過した場合（Ｓ４：ＹＥＳ）、制御部１０は、経過した再生終了時刻に対応するモニタ情報を再生情報テーブル１５ａから読み出し（Ｓ５）、ＲＡＭ１２に一旦記憶させる。制御部１０は、ＲＡＭ１２に記憶させたモニタ情報が示すモニタ２宛てに、現在実行中の再生処理の終了指示を送出する（Ｓ６）。
【００７４】
制御部１０は、ユーザが操作部１４を操作することによってコントローラ１による上述したような処理の終了が指示されたか否かを判断する（Ｓ７）。処理の終了が指示されたと判断した場合（Ｓ７：ＹＥＳ）、制御部１０は上述した処理を終了する。処理の終了が指示されていないと判断した場合（Ｓ７：ＮＯ）、制御部１０はステップＳ１へ処理を戻し、再生情報テーブル１５ａに登録してあるいずれかの再生開始時刻又は再生終了時刻が経過する都度、上述したステップＳ２〜Ｓ７の処理を繰り返す。
【００７５】
以下に、上述した構成の電子ＰＯＰシステム１００において、モニタ２が行なう再生処理についてフローチャートに基づいて説明する。図５はモニタ２による広告情報の再生処理の手順を示すフローチャートである。なお、以下の処理は、モニタ２のＲＯＭ２１又は記憶部２３に記憶してある制御プログラムに従って制御部２０によって実行される。
【００７６】
モニタ２の制御部２０は、例えば操作部２６の電源ボタン（図示せず）をユーザが操作することによって動作開始を指示されたか否かを判断しており（Ｓ１１）、指示されていない場合（Ｓ１１：ＮＯ）、動作開始を指示されるまで動作を行なわない。制御部２０は、動作開始を指示されたと判断した場合（Ｓ１１：ＹＥＳ）、通常動作を開始すると共に、記憶部２３に記憶してある所定の広告情報の再生処理を開始する（Ｓ１２）。
【００７７】
所定の広告情報の再生処理を実行しているモニタ２において、制御部２０は、ハブ４及びＡＰ３を介したコントローラ１からの広告情報の再生処理の開始指示を取得したか否かを判断する（Ｓ１３）。再生処理の開始指示を取得していない場合（Ｓ１３：ＮＯ）、制御部２０は所定の広告情報の再生処理を続行する。再生処理の開始指示を取得したと判断した場合（Ｓ１３：ＹＥＳ）、制御部２０は、ステップＳ１２で開始した実行中の再生処理を終了する（Ｓ１４）。
【００７８】
制御部２０は、取得した開始指示に従って、対応する広告情報を記憶部２３から読み出し（Ｓ１５）、ＲＡＭ２２に一旦記憶させる。制御部２０は、ＲＡＭ２２に読み出した広告情報に含まれる画像データを表示部２４に表示させると共に、ＲＡＭ２２に読み出した広告情報に含まれる音声データをスピーカ２５で音声出力することによって広告情報の再生処理を開始する（Ｓ１６）。制御部２０は、ステップＳ１６で開始した再生処理の終了指示を無線通信部２７を介して取得したか否かを判断し（Ｓ１７）、再生処理の終了指示を取得していない場合（Ｓ１７：ＮＯ）、実行中の再生処理を続行する。
【００７９】
再生処理の終了指示を取得したと判断した場合（Ｓ１７：ＹＥＳ）、制御部２０は、取得した終了指示に従って、表示部２４による画像データの表示処理及びスピーカ２５による音声データの音声出力処理を終了させることによって、終了指示された再生処理を終了させる（Ｓ１８）。制御部２０は、例えば操作部２６の電源ボタンをユーザが操作することによってモニタ２による上述したような処理の終了が指示されたか否かを判断する（Ｓ１９）。処理の終了が指示されたと判断した場合（Ｓ１９：ＹＥＳ）、制御部２０は上述した処理を終了する。処理の終了が指示されていないと判断した場合（Ｓ１９：ＮＯ）、制御部２０はステップＳ１２へ処理を戻し、記憶部２３に記憶してある所定の広告情報の再生処理を開始し（Ｓ１２）、上述したステップＳ１２〜Ｓ１９の処理を繰り返す。
【００８０】
上述した処理により、コントローラ１のＨＤＤ１５に記憶してある再生情報テーブル１５ａに登録された再生情報に従って、コントローラ１が各モニタ２，２…に広告情報の再生を指示することにより、各モニタ２，２…で実行される広告情報の再生処理を同期させることができるので、顧客の購買意欲を高めることが可能な広告情報の再生処理が可能となる。また、コントローラ１からの広告情報の再生処理の開始指示がない場合には、各モニタ２，２…で予め設定された広告情報の再生処理を行なうのでモニタ２，２…を有効に利用することができる。
【００８１】
また、上述した構成では、商品のプロモーションビデオを記録したビデオテープを用いないので、同一の広告情報を繰り返し再生しても広告情報、例えば広告情報に含まれる画像データの画質を劣化させない。また、ＤＶＤプレイヤでＤＶＤを再生させる際にＤＶＤを回転させるモータ等にように劣化が激しいハードウェアがモニタ２，２…には少ないので、広告情報を繰り返し再生してもモニタ２，２…の故障を促進しない。
【００８２】
（実施形態２）
以下に、実施形態２における電子ＰＯＰシステムについて説明する。図６は実施形態２に係る電子ＰＯＰシステムの構成例を示すブロック図である。なお、本実施形態２の電子ＰＯＰシステムは、上述した実施形態１の電子ＰＯＰシステム１００と同様の構成により実現することができ、同一の構成については同一の符号を付して説明を省略する。
【００８３】
本実施形態２の電子ＰＯＰシステム１００において、モニタ２は、図２に示した各構成のほかに、電力供給部２８がバス２ａに接続されている。また、電力供給部２８は、無線通信部２７と直接的にも接続されている。
【００８４】
電力供給部２８は、動作制御部２８ａ、主電源回路２８ｂ及びレギュレータ２８ｃ等を備えており、主電源回路２８ｂ及びレギュレータ２８ｃは、電源コンセントへの差し込みが可能な電源プラグ（図示せず）に接続されている。なお、モニタ２を電池から供給される電力によって動作するように構成してもよく、この場合、主電源回路２８ｂ及びレギュレータ２８ｃには電池からの電力が供給される。また、電源コンセントから供給される電力と電池から供給される電力とを併用するようにモニタ２を構成することもできる。
【００８５】
主電源回路２８ｂは、電源プラグを介して電源コンセントから供給された電力（以下、第１電力という）をモニタ２のハードウェア各部へ供給する。レギュレータ２８ｃは、電源プラグを介して電源コンセントから供給された第１電力を、第１電力よりも小さい第２電力に変圧し、第２電力をモニタ２の無線通信部２７及び操作部２６へ供給する。動作制御部２８ａは、制御部２０による制御、又はハブ４及びＡＰ３を介したコントローラ１からの制御に従って、主電源回路２８ｂ又はレギュレータ２８ｃのいずれかを動作させる。
【００８６】
ここで、モニタ２は、通常動作を行なっている通常動作状態（作動状態）と、通常動作を行なっていないスリープ状態（非作動状態）との切り替えが可能に構成されており、通常動作状態では、動作制御部２８ａは主電源回路２８ｂを動作させ、スリープ状態では、動作制御部２８ａはレギュレータ２８ｃを動作させる。従って、通常動作状態においては、モニタ２のハードウェア各部に主電源回路２８ｂから第１電力が供給され、スリープ状態においては、モニタ２の無線通信部２７及び操作部２６にのみレギュレータ２８ｃから第２電力が供給される。
【００８７】
動作制御部２８ａによる主電源回路２８ｂ及びレギュレータ２８ｃの動作の切り替えは、ユーザによる操作部２６の操作、又はハブ４及びＡＰ３を介したコントローラ１からの指示に従って行なわれる。具体的には、通常動作状態において操作部２６の電源ボタン（図示せず）をユーザが操作した場合、制御部２０はスリープ状態となるように動作制御部２８ａを制御し、動作制御部２８ａは主電源回路２８ｂの動作を停止させてレギュレータ２８ｃの動作を開始させる。また、通常動作状態において無線通信部２７がコントローラ１からスリープ状態の開始指示（非作動開始指示）を取得した場合、制御部２０はスリープ状態となるように動作制御部２８ａを制御し、動作制御部２８ａは主電源回路２８ｂの動作を停止させてレギュレータ２８ｃの動作を開始させる。
【００８８】
また、スリープ状態において操作部２６の電源ボタンをユーザが操作した場合、操作部２６は通常動作状態となるように動作制御部２８ａを制御し、動作制御部２８ａはレギュレータ２８ｃの動作を停止させて主電源回路２８ｂの動作を開始させる。また、スリープ状態において無線通信部２７がコントローラ１から通常動作の開始指示（作動開始指示）を取得した場合、無線通信部２７は通常動作状態となるように動作制御部２８ａを制御し、動作制御部２８ａはレギュレータ２８ｃの動作を停止させて主電源回路２８ｂの動作を開始させる。
【００８９】
一方、本実施形態２の電子ＰＯＰシステム１００において、コントローラ１のＨＤＤ１５（時刻記憶手段）には、図７に示すような動作情報テーブル１５ｂが記憶されている。図７は動作情報テーブル１５ｂの登録内容を示す模式図である。図７に示す動作情報テーブル１５ｂには、コントローラ１によって再生処理が制御される各モニタ２，２…を識別するためのモニタ情報毎に、各モニタ２，２…が通常動作を開始する動作開始時刻（作動開始時刻）と、通常動作を終了してスリープ状態となるスリープ開始時刻（非作動開始時刻）とがそれぞれ対応付けて予め登録されている。
【００９０】
なお、図７に示す動作情報テーブル１５ｂには、動作開始時刻及びスリープ開始時刻がモニタ２，２…のそれぞれについて１つずつ登録されているが、複数登録できるようにしてもよい。この場合、１日の間でモニタ２，２…の動作開始及びスリープ開始を複数回行なうことができる。
動作情報テーブル１５ｂは、モニタ２，２…によって再生される広告情報の管理を行なうユーザが、操作部１４を介してモニタ２，２…の動作状態（具体的には、動作開始時刻及びスリープ開始時刻）を入力する都度、制御部１０によって更新される。
【００９１】
上述した構成により、本実施形態２の電子ＰＯＰシステム１００では、実施形態１で説明したようにモニタ２，２…が行なう広告情報の再生処理をコントローラ１が制御しつつ、コントローラ１の制御部１０が、時計部１３から取得した現在時刻に基づいて、ＨＤＤ１５に記憶してある動作情報テーブル１５ｂに登録してあるいずれかの動作開始時刻又はスリープ開始時刻が経過したか否かを判断する。いずれかの動作開始時刻又はスリープ開始時刻が経過した場合、制御部１０は、この動作開始時刻又はスリープ開始時刻に対応するモニタ情報を動作情報テーブル１５ｂから読み出し、読み出したモニタ情報が示すモニタ２に、通常動作の開始指示又はスリープ状態の開始指示を接続部１６から送出する。
【００９２】
モニタ２は、通常動作状態においてハブ４及びＡＰ３を介してスリープ状態の開始指示を無線通信部２７によって受信した場合、受信した開始指示に従って、制御部２０が、スリープ状態となるように動作制御部２８ａを制御する。また、モニタ２は、スリープ状態においてハブ４及びＡＰ３を介して通常動作の開始指示を無線通信部２７によって受信した場合、受信した開始指示に従って、無線通信部２７が、通常動作を行なうように動作制御部２８ａを制御する。
【００９３】
これにより、各モニタ２，２…における通常動作状態及びスリープ状態の切り替えをコントローラ１によって制御するので、各モニタ２，２…において電源ボタンの操作をユーザが行なう必要がない。また、各モニタ２，２…における通常動作状態及びスリープ状態の切り替え時刻をコントローラ１が動作情報テーブル１５ｂによって一括に管理できる。更に、コントローラ１のＨＤＤ１５に記憶してある動作情報テーブル１５ｂに各モニタ２，２…の動作開始時刻及びスリープ開始時刻を登録することのみによって、各モニタ２，２…における通常動作状態及びスリープ状態の切り替え時刻を設定することができる。従って、モニタ２，２…毎に通常動作状態及びスリープ状態の切り替え時刻を設定する必要がなく、ユーザによる設定処理の負担を軽減することができる。従って、多数のモニタ２，２…が設置される大型の店舗では特に効果的である。
【００９４】
以下に、上述した構成の電子ＰＯＰシステム１００において、モニタ２，２…の通常動作状態及びスリープ状態の切り替えを制御するコントローラ１による処理についてフローチャートに基づいて説明する。図８はコントローラ１による制御処理の手順を示すフローチャートである。なお、以下の処理は、コントローラ１のＲＯＭ１１又はＨＤＤ１５に記憶してある制御プログラムに従って制御部１０によって実行される。
【００９５】
コントローラ１が通常動作を行なっている場合、制御部１０は、所定のタイミングで時計部１３から取得する現在時刻に基づいて、ＨＤＤ１５に記憶してある動作情報テーブル１５ｂに登録してあるいずれかの動作開始時刻が経過したか否かを判断する（Ｓ２１）。いずれの動作開始時刻も経過していない場合（Ｓ２１：ＮＯ）、制御部１０は、ステップＳ２４へ処理を移行する。
【００９６】
いずれかの動作開始時刻が経過した場合（Ｓ２１：ＹＥＳ）、制御部１０は、経過した動作開始時刻に対応するモニタ情報を動作情報テーブル１５ｂから読み出し（Ｓ２２）、ＲＡＭ１２に一旦記憶させる。制御部１０は、ＲＡＭ１２に記憶させたモニタ情報が示すモニタ２宛てに、通常動作の開始指示を送出する（Ｓ２３）。
【００９７】
制御部１０は、所定のタイミングで時計部１３から取得する現在時刻に基づいて、ＨＤＤ１５に記憶してある動作情報テーブル１５ｂに登録してあるいずれかのスリープ開始時刻が経過したか否かを判断し（Ｓ２４）、いずれのスリープ開始時刻も経過していない場合（Ｓ２４：ＮＯ）、ステップＳ２７へ処理を移行する。
【００９８】
いずれかのスリープ開始時刻が経過した場合（Ｓ２４：ＹＥＳ）、制御部１０は、経過したスリープ開始時刻に対応するモニタ情報を動作情報テーブル１５ｂから読み出し（Ｓ２５）、ＲＡＭ１２に一旦記憶させる。制御部１０は、ＲＡＭ１２に記憶させたモニタ情報が示すモニタ２宛てに、スリープ状態の開始指示を送出する（Ｓ２６）。
【００９９】
制御部１０は、ユーザが操作部１４を操作することによってコントローラ１による上述したような処理の終了が指示されたか否かを判断し（Ｓ２７）、処理の終了が指示されたと判断した場合（Ｓ２７：ＹＥＳ）、上述した処理を終了する。処理の終了が指示されていないと判断した場合（Ｓ２７：ＮＯ）、制御部１０はステップＳ２１へ処理を戻し、再生情報テーブル１５ｂに登録してあるいずれかの動作開始時刻又はスリープ開始時刻が経過する都度、上述したステップＳ２２〜Ｓ２７の処理を繰り返す。
【０１００】
以下に、上述した構成の電子ＰＯＰシステム１００において、モニタ２が行なう通常動作状態及びスリープ状態の切り替え処理についてフローチャートに基づいて説明する。図９はモニタ２による通常動作状態及びスリープ状態の切り替え処理の手順を示すフローチャートである。なお、以下の処理は、モニタ２のＲＯＭ２１又は記憶部２３に記憶してある制御プログラムに従って制御部２０によって実行されると共に、モニタ２がスリープ状態である場合には無線通信部２７又は操作部２６によって実行される。
【０１０１】
モニタ２が通常動作を行なっている場合、制御部２０は、ハブ４及びＡＰ３を介したコントローラ１からのスリープ状態の開始指示の取得待ち状態となっており、無線通信部２７を介してスリープ状態の開始指示を取得したか否かを判断する（Ｓ３１）。スリープ状態の開始指示を取得していない場合（Ｓ３１：ＮＯ）、制御部２０はステップＳ３４へ処理を移行する。スリープ状態の開始指示を取得したと判断した場合（Ｓ３１：ＹＥＳ）、制御部２０は、取得した開始指示に従って、スリープ状態となるように動作制御部２８ａを制御し（Ｓ３２）、主電源回路２８ｂの動作を停止させてレギュレータ２８ｃを動作させる（Ｓ３３）。
【０１０２】
モニタ２がスリープ状態である場合、無線通信部２７は、ハブ４及びＡＰ３を介したコントローラ１からの通常動作の開始指示の取得待ち状態となっており、通常動作の開始指示を取得したか否かを判断する（Ｓ３４）。通常動作の開始指示を取得していない場合（Ｓ３４：ＮＯ）、無線通信部２７は、ステップＳ３７へ処理を移行する。通常動作の開始指示を取得したと判断した場合（Ｓ３４：ＹＥＳ）、無線通信部２７は、取得した開始指示に従って、通常動作を行なうように動作制御部２８ａを制御し（Ｓ３５）、レギュレータ２８ｃの動作を停止させて主電源回路２８ｂを動作させる（Ｓ３６）。
【０１０３】
モニタ２が通常動作を行なっている場合、制御部１０は、ユーザが操作部２６を操作することによってモニタ２による上述したような処理の終了が指示されたか否かを判断する（Ｓ３７）。処理の終了が指示されたと判断した場合（Ｓ３７：ＹＥＳ）、具体的には操作部２６の電源ボタンをユーザが操作した場合、制御部２０は、ステップＳ３２へ処理を移行し、スリープ状態となるように動作制御部２８ａを制御する（Ｓ３２）。
【０１０４】
ステップＳ３７で処理の終了が指示されていない場合（Ｓ３７：ＮＯ）、具体的には、モニタ２がスリープ状態である場合に、ユーザが操作部２６の電源ボタンを操作することによってモニタ２による上述したような処理の開始が指示された場合、ステップＳ３５へ処理を移行し、操作部２６が、通常動作を行なうように動作制御部２８ａを制御する（Ｓ３５）。
【０１０５】
上述した処理により、コントローラ１のＨＤＤ１５に記憶してある動作情報テーブル１５ｂに登録された動作情報に従って、コントローラ１が各モニタ２，２…に通常動作の開始又はスリープ状態の開始を制御することができる。従って、各モニタ２，２…の電源ボタンを操作することなく、各モニタ２，２…をスリープ状態とすることができるので、モニタ２，２…を管理するユーザの操作負担を軽減できると共に、モニタ２，２…によって消費される電力を削減することができる。
【０１０６】
なお、上述した実施形態２では、モニタ２，２…が通常動作を行なっている場合、無線通信部２７が取得したスリープ状態の開始指示に従って制御部２０が電力供給部２８の動作制御部２８ａを制御することによってモニタ２，２…をスリープ状態にする構成について説明したが、無線通信部２７が、コントローラ１から取得したスリープ状態の開始指示を直接動作制御部２８ａへ送出することによってモニタ２，２…をスリープ状態にするように構成することもできる。
【０１０７】
（実施形態３）
以下に、実施形態３における電子ＰＯＰシステムについて説明する。図１０は実施形態３に係る電子ＰＯＰシステムの構成例を示すブロック図である。なお、本実施形態３の電子ＰＯＰシステムは、上述した実施形態１又は実施形態２の電子ＰＯＰシステム１００と同様の構成により実現することができ、同一の構成については同一の符号を付して説明を省略する。
【０１０８】
上述した実施形態１及び実施形態２では、コントローラ１のＨＤＤ１５には再生情報テーブル１５ａが予め記憶してあり、モニタ２の記憶部２３には広告情報が予め記憶してある構成の電子ＰＯＰシステム１００について説明した。本実施形態３では、広告情報及び再生情報テーブル１５ａをコントローラ１を用いて生成する構成の電子ＰＯＰシステム１００について説明する。なお、本実施形態３では、説明の簡略化のため、広告情報は静止画及び動画を含む画像データのみによって構成されるものとして説明する。また、本実施形態３におけるモニタ２、ＡＰ３及びハブ４は、上述した実施形態１及び実施形態２におけるモニタ２、ＡＰ３及びハブ４と同一の構成として説明を省略する。
【０１０９】
本実施形態３の電子ＰＯＰシステム１００において、コントローラ１は、図２に示した各構成のほかに、表示部１７がバス１ａに接続されている。またコントローラ１のＨＤＤ１５には、再生情報テーブル１５ａを生成するための再生情報生成処理プログラム１５ｃ、広告情報を生成するための広告情報生成処理プログラム１５ｄ及び画像データ等が予め記憶されている。なお、広告情報を生成するための画像データは、予め設定された画像フォルダ１５ｅにファイル単位で記憶しておく。また、ＨＤＤ１５には、外部の装置から取得した広告情報１５ｆと、制御部１０が広告情報生成処理プログラム１５ｄを実行することによって生成された広告情報１５ｆとが記憶される。
【０１１０】
本実施形態３の電子ＰＯＰシステム１００のコントローラ１において、ユーザが操作部１４を介して各モニタ２，２…で再生される広告情報を生成する指示を行なった場合、制御部１０はまず、ＨＤＤ１５に記憶してある広告情報生成処理プログラム１５ｄをＲＡＭ１２に読み出して実行する。制御部１０が広告情報生成処理プログラム１５ｄを実行した場合、図１１に示すような広告情報生成画面が表示部１７に表示される。
【０１１１】
図１１は広告情報生成画面の構成例を示す模式図である。広告情報生成画面は、フォルダを開くボタン、削除ボタン、保存ボタン等が表示されている。また、広告情報生成画面は、生成される広告情報に含まれる画像データを示すファイル名を一覧表示する一覧表示領域１７ａと、一覧表示されたファイル名のうちの１つのファイル名が示す画像データを表示する画像表示領域１７ｂとを有する。広告情報生成画面が表示部１７に表示された時点では一覧表示領域１７ａ及び画像表示領域１７ｂには何も表示されておらず、ユーザが操作部１４を介してフォルダを開くボタンを操作した場合、制御部１０は、ＨＤＤ１５の画像フォルダ１５ｅに記憶してある画像データの全てのファイル名を一覧表示領域１７ａに一覧表示させる。
【０１１２】
一覧表示領域１７ａには、各画像データのファイル名のほかに、各画像データを再生させる再生時間が秒単位で表示されており、この再生時間は、ユーザが操作部１４を介して変更することができる。一覧表示領域１７ａに表示された各ファイル名は操作部１４を介して選択することができ、図１１は「abc_002.bmp」のファイル名が選択された状態を示している。このようにファイル名が選択された場合、選択されたファイル名の画像データに基づいて、画像表示領域１７ｂに画像が表示される。なお、画像表示領域１７ｂに表示される画像は、各画像データのサムネイル画像であってもよい。
【０１１３】
また、一覧表示領域１７ａには、再生順序に従って各ファイル名が表示されており、各ファイル名を選択した状態で、一覧表示領域１７ａの右側に表示されている上（↑）ボタン又は下（↓）ボタンを操作することにより、再生順序を前に又は後に変更することができる。また、一覧表示領域１７ａに表示された各ファイル名を選択した状態で削除ボタンを操作することにより、選択されているファイル名の画像データを、生成される広告情報から削除することができる。
【０１１４】
広告情報生成画面において、ユーザが保存ボタンを操作した場合、制御部１０は、一覧表示領域１７ａに表示された順序で各ファイル名の画像データと再生時間とを対応付けて１つの広告情報を生成し、１つのファイルとしてファイル名を付与してＨＤＤ１５に記憶させる。従って、制御部１０は、操作部１４を介したユーザによる入力に従って、各モニタ２，２…で再生処理される広告情報（再生用データ）を生成する再生用データ生成手段として動作する。これにより、任意の画像データによって構成される広告情報を生成することができると共に、広告情報に含まれる各画像データの再生時間も任意に設定することができる。
【０１１５】
ユーザは、上述したように複数の画像データによって構成される広告情報を生成した場合、各モニタ２，２…毎に再生させる広告情報を設定する。ユーザが各モニタ２，２…に再生させる広告情報を設定する指示を操作部１４を介して行なった場合、制御部１０は、ＨＤＤ１５に記憶してある再生情報生成処理プログラム１５ｃをＲＡＭ１２に読み出して実行する。制御部１０が再生情報生成処理プログラム１５ｃを実行した場合、図１２（ａ）に示すような再生情報生成画面が表示部１７に表示される。
【０１１６】
図１２は再生情報生成画面の構成例を示す模式図である。図１２（ａ）に示す再生情報生成画面は、広告情報を開くボタン及びＯＫボタン等が表示されている。また、図１２（ａ）に示す再生情報生成画面は、再生される広告情報に含まれる画像データを示すファイル名を一覧表示する一覧表示領域１７ｃと、一覧表示された広告情報を再生させるモニタ２を設定するための入力領域１７ｄとを有する。図１２（ａ）に示す再生情報生成画面が表示部１７に表示された時点では一覧表示領域１７ｃ及び入力領域１７ｄには何も表示されていない。
【０１１７】
このような再生情報生成画面においてユーザが操作部１４を介して広告情報を開くボタンを操作した場合、制御部１０は、ＨＤＤ１５に記憶してある広告情報のうちのいずれかの広告情報を選択するための選択画面（図示せず）を表示部１７に表示し、この選択画面を介してユーザが広告情報を選択した場合に、選択された広告情報に含まれる画像データを示すファイル名が一覧表示領域１７ｃに一覧表示される。また、ユーザは、操作部１４を介して入力領域１７ｄに、一覧表示領域１７ｃに表示された広告情報を再生させるモニタ２を識別するためのモニタ情報を入力する。
【０１１８】
図１２（ａ）に示す再生情報生成画面において、ユーザがＯＫボタンを操作した場合、制御部１０は、図１２（ｂ）に示すような再生情報生成画面を表示部１７に表示する。図１２（ｂ）に示す再生情報生成画面は、上述した処理によって各モニタ２，２…毎に設定された広告情報を表示する広告情報表示領域１７ｅと、各広告情報の再生開始時刻及び再生終了時刻を表示する再生時刻表示領域１７ｆとを有する。図１２（ｂ）に示す再生情報生成画面が表示部１７に表示された時点では再生時刻表示領域１７ｆには何も表示されておらず、ユーザが操作部１４を介して広告情報表示領域１７ｅに表示された各広告情報の再生開始時刻及び再生終了時刻を入力した場合、入力された再生開始時刻及び再生終了時刻が再生時刻表示領域１７ｆに表示される。なお、図１２（ｂ）に示す再生情報生成画面においては、各広告情報の再生開始時刻から再生終了時刻までを１つの四角で示している。
【０１１９】
図１２（ｂ）に示す再生情報生成画面において、ユーザがＯＫボタンを操作した場合、制御部１０は、各モニタ２，２…毎に、各モニタ２，２…が再生する広告情報のファイル名、各広告情報の再生開始時刻及び再生終了時刻を含む再生情報を生成する再生情報生成手段として動作し、生成した再生情報を、各モニタ２，２…を識別するためのモニタ情報に対応付けてＨＤＤ１５に記憶してある再生情報テーブル１５ａに登録する。これにより、各モニタ２，２…で再生させる広告情報を任意に設定することができると共に、各広告情報の再生開始時刻及び再生終了時刻も任意に設定することができる。また、このように生成された再生情報を再生情報テーブル１５ａに登録することによって、各モニタ２，２…が行なう広告情報の再生処理の開始及び終了をコントローラ１によって制御することができる。
【０１２０】
以下に、本実施形態３の電子ＰＯＰシステム１００において、コントローラ１による広告情報の生成処理についてフローチャートに基づいて説明する。図１３はコントローラ１による広告情報の生成処理の手順を示すフローチャートである。なお、以下の処理は、コントローラ１のＲＯＭ１１又はＨＤＤ１５に記憶してある制御プログラムに従って制御部１０によって実行される。
【０１２１】
制御部１０は、ユーザが操作部１４を介して広告情報の生成を指示したか否かを判断しており（Ｓ４１）、ユーザが広告情報の生成を指示していない場合（Ｓ４１：ＮＯ）、広告情報の生成が指示されるまで通常動作を行なって待機する。ユーザが広告情報の生成を指示した場合（Ｓ４１：ＹＥＳ）、制御部１０は、ＨＤＤ１５に記憶してある広告情報生成処理プログラム１５ｄをＲＡＭ１２に読み出して実行し、図１１に示す広告情報生成画面を表示部１７に表示する（Ｓ４２）。
【０１２２】
広告情報生成画面において、制御部１０は、ユーザが操作部１４を介してフォルダを開くボタンを操作したか否かを判断し（Ｓ４３）、操作していない場合（Ｓ４３：ＮＯ）、広告情報生成画面を表示部１７に表示したまま待機する。ユーザがフォルダを開くボタンを操作した場合（Ｓ４３：ＹＥＳ）、制御部１０は、ＨＤＤ１５の画像フォルダ１５ｅに記憶してある画像データの全てのファイル名を一覧表示領域１７ａに一覧表示させる（Ｓ４４）。
【０１２３】
制御部１０は、広告情報生成画面においてユーザが操作部１４を介して保存ボタンを操作したか否かを判断し（Ｓ４５）、操作していない場合（Ｓ４５：ＮＯ）、広告情報生成画面を表示部１７に表示したまま待機する。なお、制御部１０は、ユーザが操作部１４を介して広告情報生成画面の一覧表示領域１７ａに表示されたいずれかの再生時間を選択し、再生時間を入力した場合、選択された再生時間を入力された再生時間に変更して表示する。また制御部１０は、ユーザが操作部１４を介して広告情報生成画面の一覧表示領域１７ａに表示されたいずれかのファイル名を選択した場合、選択されたファイル名の画像データに基づく画像を画像表示領域１７ｂに表示する。また制御部１０は、広告情報生成画面においてユーザが削除ボタンを操作した場合、一覧表示領域１７ａにおいて選択されているファイル名の表示を終了し、広告情報生成画面においてユーザが上ボタン又は下ボタンを操作した場合、一覧表示領域１７ａにおいて選択されているファイル名の表示位置を上に又は下に移動させる。
【０１２４】
ユーザが保存ボタンを操作した場合（Ｓ４５：ＹＥＳ）、制御部１０は、一覧表示領域１７ａに表示された順序で各ファイル名の画像データと再生時間とを対応付けて広告情報を生成し、ＨＤＤ１５に記憶させる（Ｓ４６）。これにより、任意の画像データによって構成された広告情報を生成することができる。
【０１２５】
以下に、上述したように広告情報を生成してＨＤＤ１５に記憶してあるコントローラ１による再生情報の生成処理についてフローチャートに基づいて説明する。図１４はコントローラ１による再生情報の生成処理の手順を示すフローチャートである。なお、以下の処理は、コントローラ１のＲＯＭ１１又はＨＤＤ１５に記憶してある制御プログラムに従って制御部１０によって実行される。
【０１２６】
制御部１０は、ユーザが操作部１４を介して再生情報の生成を指示したか否かを判断しており（Ｓ５１）、ユーザが再生情報の生成を指示していない場合（Ｓ５１：ＮＯ）、再生情報の生成が指示されるまで通常動作を行なって待機する。ユーザが再生情報の生成を指示した場合（Ｓ５１：ＹＥＳ）、制御部１０は、ＨＤＤ１５に記憶してある再生情報生成処理プログラム１５ｃをＲＡＭ１２に読み出して実行し、図１２（ａ）に示す再生情報生成画面を表示部１７に表示する（Ｓ５２）。
【０１２７】
再生情報生成画面において、制御部１０は、ユーザが操作部１４を介して広告情報を開くボタンを操作したか否かを判断し（Ｓ５３）、操作していない場合（Ｓ５３：ＮＯ）、再生情報生成画面を表示部１７に表示したまま待機する。ユーザが広告情報を開くボタンを操作した場合（Ｓ５３：ＹＥＳ）、制御部１０は、ユーザによって選択された広告情報に含まれる画像データを示すファイル名を一覧表示領域１７ｃに一覧表示させる（Ｓ５４）。
【０１２８】
制御部１０は、再生情報生成画面においてユーザが操作部１４を介してＯＫボタンを操作したか否かを判断し（Ｓ５５）、操作していない場合（Ｓ５５：ＮＯ）、再生情報生成画面を表示部１７に表示したまま待機する。なお、制御部１０は、ユーザが操作部１４を介して再生情報生成画面において、一覧表示領域１７ｃに表示された広告情報を再生させるモニタ２を識別するためのモニタ情報を入力した場合、入力されたモニタ情報を入力領域１７ｄに表示する。
【０１２９】
ユーザがＯＫボタンを操作した場合（Ｓ５５：ＹＥＳ）、制御部１０は、図１２（ｂ）に示す再生情報生成画面を表示部１７に表示する（Ｓ５６）。図１２（ｂ）に示す再生情報生成画面において、制御部１０は、ユーザが操作部１４を介してＯＫボタンを操作したか否かを判断し（Ｓ５７）、操作していない場合（Ｓ５７：ＮＯ）、図１２（ｂ）に示す再生情報生成画面を表示部１７に表示したまま待機する。なお、図１２（ｂ）に示す再生情報生成画面においてユーザが操作部１４を介して各広告情報の再生開始時刻及び再生終了時刻を入力した場合、入力された再生開始時刻及び再生終了時刻を再生時刻表示領域１７ｆに表示する。
【０１３０】
図１２（ｂ）に示す再生情報生成画面においてユーザがＯＫボタンを操作した場合（Ｓ５７：ＹＥＳ）、制御部１０は、各モニタ２，２…毎に、各モニタ２，２…が再生する広告情報のファイル名、再生開始時刻及び再生終了時刻を含む再生情報を生成し、生成した再生情報を、各モニタ２，２…を識別するためのモニタ情報に対応付けてＨＤＤ１５に記憶してある再生情報テーブル１５ａに登録する（Ｓ５８）。これにより、各モニタ２，２…に再生させる広告情報、各広告情報の再生開始時刻及び再生終了時刻を任意に設定することができる。なお、モニタ２の記憶部２３に記憶されていない広告情報をモニタ２に再生させるような再生情報を生成した場合には、この広告情報を予めモニタ２の記憶部２３に記憶させておく。広告情報をモニタ２の記憶部２３に記憶させる処理は、広告情報を含む再生情報が再生情報テーブル１５ａに登録された際に行なえばよい。
【０１３１】
上述した処理によってコントローラ１のＨＤＤ１５に記憶された再生情報テーブル１５ａに登録された再生情報に従って、コントローラ１が各モニタ２，２…に広告情報の再生処理の開始及び終了を制御することができる。従って、各モニタ２，２…を操作することなく、各モニタ２，２…に任意の広告情報の再生処理を実行させることができるので、モニタ２，２…を管理するユーザの操作負担を軽減できると共に、モニタ２，２…によってインパクトのある訴求が可能となる。なお、コントローラ１が、上述したようにＨＤＤ１５に記憶された再生情報テーブル１５ａの登録内容に基づいて各モニタ２，２…が行なう広告情報の再生処理を制御する処理は実施形態１で説明した処理を同様であるので説明を省略する。
【０１３２】
（実施形態４）
以下に、実施形態４における電子ＰＯＰシステムについて説明する。図１５は実施形態４に係る電子ＰＯＰシステムの構成例を示すブロック図である。なお、本実施形態４の電子ＰＯＰシステムは、上述した実施形態３の電子ＰＯＰシステム１００と同様の構成により実現することができ、同一の構成については同一の符号を付して説明を省略する。
【０１３３】
上述した実施形態３では、モニタ２，２…で実行される再生処理に関する再生情報（再生情報テーブル１５ａ）をコントローラ１によって生成する構成について説明した。本実施形態４では、コントローラ１が再生情報テーブル１５ａを生成する際に、モニタ２の記憶部２３に予め記憶してある広告情報を検索し、検索した結果に基づいて再生情報テーブル１５ａを生成する構成の電子ＰＯＰシステム１００について説明する。
【０１３４】
本実施形態４の電子ＰＯＰシステム１００において、コントローラ１は、図１０に示した各構成のほかに、ＨＤＤ１５に検索処理プログラム１５ｇが予め記憶されている。本実施形態４のコントローラ１において、ユーザが操作部１４を介して各モニタ２，２…で行なわれる再生処理に関する再生情報を生成する指示を行なった場合、制御部１０は、ＨＤＤ１５に記憶してある再生情報生成処理プログラム１５ｃをＲＡＭ１２に読み出して実行する。制御部１０が再生情報生成処理プログラム１５ｃを実行した場合、上述した実施形態３と同様に、図１２（ａ）に示す再生情報生成画面が表示部１７に表示される。
【０１３５】
本実施形態４では、ユーザはまず操作部１４を介して入力領域１７ｄに、一覧表示領域１７ｃに表示される広告情報を再生させるモニタ２を識別するためのモニタ情報を入力する。また、図１２（ａ）に示す再生情報生成画面においてユーザが操作部１４を介して広告情報を開くボタンを操作した場合、制御部１０は、ＨＤＤ１５に記憶してある検索処理プログラム１５ｇをＲＡＭ１２に読み出して実行し、入力領域１７ｄに入力されたモニタ情報によって特定されるモニタ２の記憶部２３に記憶してある広告情報を検索する検索手段として動作する。
【０１３６】
具体的には、制御部１０は、入力領域１７ｄに入力されたモニタ情報によって特定されるモニタ２宛てに、記憶部２３に記憶してある広告情報を特定するファイル名（特定情報）を要求する。モニタ２の制御部２０は、コントローラ１から広告情報のファイル名を要求された場合、記憶部２３に記憶してある広告情報のファイル名を読み出してコントローラ１へ送信する。これにより、コントローラ１の制御部１０は、モニタ２の記憶部２３に記憶してある広告情報のファイル名を取得し、図１６に示すような広告情報選択画面を表示部１７に表示させる。広告情報選択画面は、図１６に示すように、入力領域１７ｄに入力されたモニタ情報によって特定されるモニタ２の記憶部２３に記憶してある広告情報のファイル名を一覧表示しており、ユーザは操作部１４を介して所望の広告情報を選択することができる。図１６では「SYNC_02_01.jpg」のファイル名が選択された状態を示している。
【０１３７】
図１６に示す広告情報選択画面においてユーザがＯＫボタンを操作した場合、制御部１０は、広告情報選択画面の表示を終了し、図１２(ａ)に示す再生情報生成画面の一覧表示領域１７ｃに、ユーザによって選択された広告情報に含まれる画像データを示すファイル名を一覧表示させる。これにより、各モニタ２，２…に予め用意されている広告情報を用いた再生処理に関する再生情報を生成することができる。なお、図１２（ａ）に示す再生情報生成画面において、一覧表示領域１７ｃに画像データのファイル名が表示された場合、以降の処理は、上述の実施形態３で説明した処理と同様であるので説明を省略する。
【０１３８】
以下に、本実施形態４の電子ＰＯＰシステム１００において、コントローラ１による再生情報の生成処理についてフローチャートに基づいて説明する。図１７及び図１８はコントローラ１による再生情報の生成処理の手順を示すフローチャートである。なお、以下の処理は、コントローラ１のＲＯＭ１１又はＨＤＤ１５に記憶してある制御プログラムに従って制御部１０によって実行されると共に、モニタ２のＲＯＭ２１に記憶してある制御プログラムに従って制御部２０によって実行される。
【０１３９】
制御部１０は、ユーザが操作部１４を介して再生情報の生成を指示したか否かを判断しており（Ｓ６１）、ユーザが再生情報の生成を指示していない場合（Ｓ６１：ＮＯ）、再生情報の生成が指示されるまで通常動作を行なって待機する。ユーザが再生情報の生成を指示した場合（Ｓ６１：ＹＥＳ）、制御部１０は、ＨＤＤ１５に記憶してある再生情報生成処理プログラム１５ｃをＲＡＭ１２に読み出して実行し、図１２（ａ）に示す再生情報生成画面を表示部１７に表示する（Ｓ６２）。
【０１４０】
再生情報生成画面において、制御部１０は、ユーザが操作部１４を介して入力領域１７ｄにモニタ情報を入力したか否かを判断し（Ｓ６３）、ユーザがモニタ情報を入力していない場合（Ｓ６３：ＮＯ）、モニタ情報が入力されるまで待機する。ユーザがモニタ情報を入力したと判断した場合（Ｓ６３：ＹＥＳ）、制御部１０は、入力されたモニタ情報を入力領域１７ｄに表示する（Ｓ６４）。
【０１４１】
再生情報生成画面において、制御部１０は、ユーザが操作部１４を介してフォルダを開くボタンを操作したか否かを判断し（Ｓ６５）、操作していない場合（Ｓ６５：ＮＯ）、再生情報生成画面を表示部１７に表示したまま待機する。ユーザがフォルダを開くボタンを操作した場合（Ｓ６５：ＹＥＳ）、制御部１０は、ＨＤＤ１５に記憶してある検索処理プログラム１５ｇをＲＡＭ１２に読み出して実行し、入力領域１７ｄに入力されたモニタ情報によって特定されるモニタ２宛てに、記憶部２３に記憶してある広告情報のファイル名を要求する（Ｓ６６）。
【０１４２】
モニタ２の制御部２０は、コントローラ１から広告情報のファイル名を要求された場合、記憶部２３に記憶してある広告情報のファイル名を読み出してコントローラ１へ送信する（Ｓ６７）。コントローラ１の制御部１０は、モニタ２の記憶部２３に記憶してある広告情報のファイル名をモニタ２から取得した場合、図１６に示す広告情報選択画面を表示部１７に表示する（Ｓ６８）。
【０１４３】
広告情報選択画面において、制御部１０は、ユーザが操作部１４を介してＯＫボタンを操作したか否かを判断し（Ｓ６９）、操作していない場合（Ｓ６９：ＮＯ）、広告情報選択画面を表示部１７に表示したまま待機する。ユーザがＯＫボタンを操作した場合（Ｓ６９：ＹＥＳ）、制御部１０は、広告情報選択画面を介して選択された広告情報に含まれる画像データのファイル名を、図１２(ａ)に示す再生情報生成画面の一覧表示領域１７ｃに一覧表示する（Ｓ７０）。
【０１４４】
制御部１０は、図１２(ａ)に示す再生情報生成画面においてユーザが操作部１４を介してＯＫボタンを操作したか否かを判断し（Ｓ７１）、操作していない場合（Ｓ７１：ＮＯ）、再生情報生成画面を表示部１７に表示したまま待機する。ユーザがＯＫボタンを操作した場合（Ｓ７１：ＹＥＳ）、制御部１０は、図１２（ｂ）に示す再生情報生成画面を表示部１７に表示する（Ｓ７２）。
【０１４５】
図１２（ｂ）に示す再生情報生成画面において、制御部１０は、ユーザが操作部１４を介してＯＫボタンを操作したか否かを判断し（Ｓ７３）、操作していない場合（Ｓ７３：ＮＯ）、図１２（ｂ）に示す再生情報生成画面を表示部１７に表示したまま待機する。  図１２（ｂ）に示す再生情報生成画面においてユーザがＯＫボタンを操作した場合（Ｓ７３：ＹＥＳ）、制御部１０は、各モニタ２，２…毎に、各モニタ２，２…が再生する広告情報のファイル名、再生開始時刻及び再生終了時刻を含む再生情報を生成し、生成した再生情報を、各モニタ２，２…を識別するためのモニタ情報に対応付けてＨＤＤ１５に記憶してある再生情報テーブル１５ａに登録する（Ｓ７４）。
【０１４６】
これにより、各モニタ２，２…に予め用意されている広告情報を検索することができると共に、各モニタ２，２…に予め用意されている広告情報を参照しながら各モニタ２，２…が行なう再生処理に関する再生情報を生成することができる。なお、モニタ２の記憶部２３に記憶されていない広告情報をモニタ２に再生させる場合には、この広告情報を予めモニタ２の記憶部２３に記憶させておく。
【０１４７】
上述した処理によってコントローラ１のＨＤＤ１５に記憶された再生情報テーブル１５ａに登録された再生情報に従って、コントローラ１が各モニタ２，２…に広告情報の再生処理の開始及び終了を制御することができる。従って、各モニタ２，２…を操作することなく、各モニタ２，２…に任意の広告情報の再生処理を実行させることができるので、モニタ２，２…を管理するユーザの操作負担を軽減できると共に、モニタ２，２…によってインパクトのある訴求が可能となる。なお、コントローラ１が、上述したようにＨＤＤ１５に記憶された再生情報テーブル１５ａの登録内容に基づいて各モニタ２，２…が行なう広告情報の再生処理の実行を制御する処理は実施形態１で説明した処理を同様であるので説明を省略する。
【０１４８】
上述した実施形態３，４では、モニタ２，２…で再生される広告情報及び各モニタ２，２…で実行される再生処理に関する再生情報をコントローラ１によって生成する構成について説明した。しかし、広告情報及び再生情報を他の装置で生成し、他の装置で生成された広告情報及び再生情報をコントローラ１へダウンロードするように構成することもできる。
【０１４９】
（実施形態５）
以下に、実施形態５における電子ＰＯＰシステムについて説明する。図１９は実施形態５に係る電子ＰＯＰシステムの構成例を示す模式図である。なお、本実施形態５の電子ＰＯＰシステム１０１は、上述した実施形態１乃至４の電子ＰＯＰシステム１００と同様の構成を有しており、同一の構成については同一の符号を付して説明を省略する。本実施形態５の電子ＰＯＰシステム１０１は、コントローラ１、ハブ４、ＡＰ３及び複数のモニタ２，２…のほかに、サーバ装置（通信装置）５を含んでおり、サーバ装置５は、インターネットのようなネットワークＮを介してコントローラ１との通信が可能である。
【０１５０】
上述した実施形態３，４では、モニタ２，２…で再生される広告情報及び各モニタ２，２…で実行される再生処理に関する再生情報をコントローラ１によって生成する構成について説明した。本実施形態５の電子ＰＯＰシステム１０１では、ユーザはサーバ装置５を用いて広告情報及び再生情報を生成し、生成した広告情報及び再生情報をネットワークＮを介してサーバ装置５からコントローラ１へダウンロードする。従って、本実施形態５におけるコントローラ１は、実施形態１（図２）で示した各構成のほかに、ネットワークＮに接続するための通信部（図示せず）がバス１ａに接続されており、ネットワークＮを介してサーバ装置５との通信が可能である。
【０１５１】
図２０は実施形態５に係る電子ＰＯＰシステム１０１におけるサーバ装置５の構成例を示すブロック図である。本実施形態５に係る電子ＰＯＰシステム１０１において、サーバ装置５は、上述した実施形態３のコントローラ１と同様の構成を有する。具体的には、サーバ装置５は、制御部５０、ＲＯＭ５１、ＲＡＭ５２、操作部５３、表示部５４、ネットワークＮに接続するための通信部５５、ＨＤＤ５６等を備え、これらのハードウェア各部はそれぞれバス５ａを介して相互に接続されている。
【０１５２】
制御部５０は、ＣＰＵ又はＭＰＵ等により構成されており、バス５ａを介して接続される上述したようなハードウェア各部を制御すると共に、ＲＯＭ５１に予め格納されている制御プログラムに従って種々の動作を実行する。ＲＯＭ５１は、サーバ装置５を本発明の通信装置として動作させるために必要な種々の制御プログラム等を予め記憶している。ＲＡＭ５２は、ＳＲＡＭ又はＳＤＲＡＭ等で構成され、制御部５０による制御プログラムの実行時に発生するデータを一時的に記憶する。
【０１５３】
操作部５３は、サーバ装置５をユーザが操作するために必要な各種のキーを備えており、ユーザにより各キーが操作された場合、操作されたキーに対応した制御信号を制御部５０へ送出する。これにより、制御部５０は操作部５３から取得した制御信号に従って各種処理を実行する。表示部５４は、例えば液晶表示パネルからなる表示デバイスであり、制御部５０からの指示に従って、サーバ装置５の動作状態、ユーザに対して通知すべき情報等の表示を行なう。
【０１５４】
ＨＤＤ５６は大容量の記憶装置であり、ＨＤＤ５６にはサーバ装置５の動作に必要な種々の制御プログラムが記憶されている。また、ＨＤＤ５６には、図１０で示した実施形態３におけるコントローラ１のＨＤＤ１５と同様に、再生情報テーブル５６ａ、再生情報テーブル５６ａを生成するための再生情報生成処理プログラム５６ｃ、広告情報を生成するための広告情報生成処理プログラム５６ｄ及び画像データが格納された画像フォルダ５６ｅ等が予め記憶されている。また、ＨＤＤ５６には、広告情報５６ｆと、制御部５０が広告情報生成処理プログラム５６ｄを実行することによって生成された広告情報５６ｆとが記憶される。
【０１５５】
本実施形態５の電子ＰＯＰシステム１０１において、サーバ装置５は、ユーザが操作部５３を介して各モニタ２，２…で再生される広告情報を生成する指示を行なった場合、制御部５０が、ＨＤＤ５６に記憶してある広告情報生成処理プログラム５６ｄをＲＡＭ５２に読み出して実行する。また、サーバ装置５は、ユーザが操作部５３を介して各モニタ２，２で再生される広告情報を設定する指示を行なった場合、制御部５０が、ＨＤＤ５６に記憶してある再生情報生成処理プログラム５６ｃをＲＡＭ５２に読み出して実行する。
【０１５６】
これにより、制御部５０は、各モニタ２，２…毎に、各モニタ２，２…が再生する広告情報に含まれる画像データの各ファイル名、各画像データの再生開始時刻及び再生終了時刻を含む再生情報を生成する再生情報生成手段として動作する。なお、サーバ装置５において、モニタ２，２…で再生される広告情報及び各モニタ２，２…で実行される再生処理に関する再生情報（再生情報テーブル５６ａ）を生成する処理は、上述した実施形態３のコントローラ１による処理と同様であるので説明を省略する。
【０１５７】
サーバ装置５は、上述したように生成した広告情報及び再生情報テーブル５６ａを、通信部５５からネットワークＮを介してコントローラ１へ送出する。コントローラ１は、ネットワークＮを介してサーバ装置５から送出された広告情報及び再生情報テーブル５６ａを取得し、ＨＤＤ１５（図１０参照）に記憶させる。
【０１５８】
このような構成により、モニタ２，２…が行なう広告情報の再生処理を制御するコントローラ１が複数ある場合に、各コントローラ１において再生情報を生成する必要がなく、サーバ装置５で一括に生成し、生成した再生情報を各コントローラ１へダウンロードすればよい。従って、再生情報を生成するユーザの処理負担をより軽減することができる。
【０１５９】
また、サーバ装置５を各モニタ２，２…と通信できるように構成した場合には、上述した実施形態４のコントローラ１による処理と同様に、各モニタ２，２…の記憶部２３に予め記憶されている広告情報を検索し、予め記憶してある広告情報に基づいて各モニタ２，２…による広告情報の再生処理の内容を決定することができる。
【０１６０】
本実施形態５の電子ＰＯＰシステム１０１を用いることにより、例えば各店舗に設置されたコントローラ１をサーバ装置５で一括に管理することができると共に、各コントローラ１が制御するモニタ２，２…における広告情報の再生処理もサーバ装置５で一括に管理することができる。従って、例えばコンビニエンスストアのようにフランチャイズ展開している会社において、会社の本部の管理者がサーバ装置５を用いて各店舗に設置されたコントローラ１のＨＤＤ１５に記憶してある再生情報テーブル１５ａに再生情報を登録することにより、各店舗に設置されたコントローラ１を操作することなく、各店舗に設置されたモニタ２，２…での再生処理の開始及び終了を制御することができる。よって、異なる店舗のモニタ２，２…に同一の再生情報に基づく再生処理を行なわせる場合には、１つの再生情報を生成すればよく、また、各店舗に設置されたコントローラ１を操作する必要がないので各店舗の店員の操作負担をより軽減できる。
【０１６１】
また、モニタ２，２…で再生される広告情報及び各モニタ２，２…で実行される再生処理に関する再生情報をサーバ装置５とは更に別の装置を用いて生成し、生成された広告情報及び再生情報をサーバ装置５へダウンロードするように構成してもよい。この場合、広告情報及び再生情報を生成した装置から広告情報及び再生情報を取得したサーバ装置５が、広告情報及び再生情報をコントローラ１へダウンロードすればよい。
【０１６２】
上述した実施形態１乃至５では、各店舗に設置された複数のモニタ２，２…を１つのコントローラ１で制御する構成について説明した。しかし、モニタ２，２…のうちの１つのモニタ２に、実施形態１乃至４で説明したコントローラ１の機能を持たせた場合には、コントローラ１は必要ない。この場合、コントローラ１の機能を有するモニタ２が、自身が行なう広告情報の再生処理及び他のモニタ２，２…が行なう広告情報の再生処理の実行を制御する。
【図面の簡単な説明】
【０１６３】
【図１】実施形態１に係る電子ＰＯＰシステムの構成例を示す模式図である。
【図２】実施形態１に係る電子ＰＯＰシステムの構成例を示すブロック図である。
【図３】再生情報テーブルの登録内容を示す模式図である。
【図４】コントローラによる制御処理の手順を示すフローチャートである。
【図５】モニタによる広告情報の再生処理の手順を示すフローチャートである。
【図６】実施形態２に係る電子ＰＯＰシステムの構成例を示すブロック図である。
【図７】動作情報テーブルの登録内容を示す模式図である。
【図８】コントローラによる制御処理の手順を示すフローチャートである。
【図９】モニタによる通常動作状態及びスリープ状態の切り替え処理の手順を示すフローチャートである。
【図１０】実施形態３に係る電子ＰＯＰシステムの構成例を示すブロック図である。
【図１１】広告情報生成画面の構成例を示す模式図である。
【図１２】再生情報生成画面の構成例を示す模式図である。
【図１３】コントローラによる広告情報の生成処理の手順を示すフローチャートである。
【図１４】コントローラによる再生情報の生成処理の手順を示すフローチャートである。
【図１５】実施形態４に係る電子ＰＯＰシステムの構成例を示すブロック図である。
【図１６】広告情報選択画面の構成例を示す模式図である。
【図１７】コントローラによる再生情報の生成処理の手順を示すフローチャートである。
【図１８】コントローラによる再生情報の生成処理の手順を示すフローチャートである。
【図１９】実施形態５に係る電子ＰＯＰシステムの構成例を示す模式図である。
【図２０】実施形態５に係る電子ＰＯＰシステムにおけるサーバ装置の構成例を示すブロック図である。
【符号の説明】
【０１６４】
１００  電子ＰＯＰシステム（データ再生システム）
１  コントローラ（制御装置）
１０  制御部
１３  時計部（時計手段）
１５  ＨＤＤ（再生情報記憶手段、時刻記憶手段）
２  モニタ（再生装置）
２３  記憶部（記憶手段）
２８  電力供給部
【図１】
2008180810.tif 000003
【図２】
2008180810.tif 000004
【図３】
2008180810.tif 000005
【図４】
2008180810.tif 000006
【図５】
2008180810.tif 000007
【図６】
2008180810.tif 000008
【図７】
2008180810.tif 000009
【図８】
2008180810.tif 000010
【図９】
2008180810.tif 000011
【図１０】
2008180810.tif 000012
【図１１】
2008180810.tif 000013
【図１２】
2008180810.tif 000014
【図１３】
2008180810.tif 000015
【図１４】
2008180810.tif 000016
【図１５】
2008180810.tif 000017
【図１６】
2008180810.tif 000018
【図１７】
2008180810.tif 000019
【図１８】
2008180810.tif 000020
【図１９】
2008180810.tif 000021
【図２０】
2008180810.tif 000022